(57)【特許請求の範囲】
【請求項１】
既設の窓枠の四周外側の外壁面に対し、後付けシャッター取付枠体を固着具にて取付け、前記後付けシャッター取付枠体に対し、前記後付けシャッター取付枠体と別体の化粧カバー材受け体を取付け、前記化粧カバー材受け体に対し前記固着具を隠すように化粧カバー材を取付ける、後付けシャッターの取付構造であって、
前記化粧カバー材受け体は、断面Ｕ字であって、Ｕ字の端部外側には外側に向かう引っ掛かり部が形成され、
前記化粧カバー材は、断面Ｕ字状であって、Ｕ字の側面端は内方に曲折され、
前記化粧カバー材は、断面Ｕ字状であって、Ｕ字の側面端の内方には内側に向かう引っ掛かり部が形成され、
前記化粧カバー材受け体のＵ字の端部は、前記化粧カバー材の側面の内側に挿入され、
前記化粧カバー材受け体の前記引っ掛かり部には、前記化粧カバー材の引っ掛かり部が係止され、
前記化粧カバー材において内方に曲折されている側面端、及び前記化粧カバー部材の側端縁から離れた位置に前記後付シャッター取付枠体の面に向かって突出する突起条が形成されることで、前記側面端およびカバー材の側面と突起条にてそれぞれ窪み状のシーリングポケット部が形設され、
前記化粧カバー材の側面端で構成されるシーリングポケット部の継ぎ目のない一連の表面と、外壁面の間に、コーキング材が充填される構成とし、
前記化粧カバー材の側面端において前記シーリングポケット部を構成している部位において、前記化粧カバー材受け体の前記引っ掛かり部と、前記化粧カバー材の前記引っ掛かり部が配置され、前記化粧カバー材の内側において、前記両引っ掛かり部が係止する、
後付けシャッターの取付構造。
【請求項２】
前記化粧カバー材受け体の前記引っ掛かり部と、前記化粧カバー材の引っ掛かり部は、弾性力で挟んで引掛り係止される、
ことを特徴とする請求項１に記載の後付けシャッターの取付構造。
【請求項３】
既設の窓枠の四周外側の外壁面に対し、後付けシャッター取付枠体を固着具にて取付け、前記後付けシャッター取付枠体に対し、前記後付けシャッター取付枠体と別体の化粧カバー材受け体を取付け、前記化粧カバー材受け体に対し前記固着具を隠すように化粧カバー材を取付ける、後付けシャッターの取付構造であって、
前記化粧カバー材受け体は、断面Ｕ字であって、Ｕ字の端部は外側に曲折されて係止片が形成され、
前記化粧カバー材は、断面Ｕ字状であって、Ｕ字の側面端は内方に曲折されて係止片が形設され、
前記化粧カバー材受け体のＵ字の端部は、前記化粧カバー材の側面の内側に挿入され、
前記化粧カバー材受け体の前記係止片には、前記化粧カバー材の前記係止片の角部が係止され、
前記化粧カバー材において内方に曲折されている側面端、及び前記化粧カバー部材の側端縁から離れた位置に前記後付シャッター取付枠体の面に向かって突出する突起条が形成されることで、前記側面端およびカバー材の側面と突起条にてそれぞれ窪み状のシーリングポケット部が形設され、
前記化粧カバー材の側面端で構成されるシーリングポケット部の継ぎ目のない一連の表面と、外壁面の間に、コーキング材が充填される構成とし、
前記化粧カバー材の側面端において前記シーリングポケット部を構成している部位において、前記化粧カバー材受け体の前記係止片と、前記化粧カバー材の前記係止片が配置され、前記化粧カバー材の内側において、前記両係止片が係止する、
後付けシャッターの取付構造。
【請求項４】
前記化粧カバー材受け体の前記係止片と、前記化粧カバー材の前記係止片は、弾性力で挟んで引掛り係止される、
ことを特徴とする請求項３に記載の後付けシャッターの取付構造。
【発明の詳細な説明】
【技術分野】
【０００１】
本発明は、シャッターの取付けに関するもので、特に、既存の戸建て住宅の増改築などに伴って、既設の窓枠の前に壁の上から後付けする後付けシャッターの取付構造に関するものである。
【背景技術】
【０００２】
従来、戸建て住宅において窓の前面に面格子を取付けることによって防犯上の対策がなされているが、既存の戸建て住宅の増改築などに伴って、開口部の面格子による閉塞感に代わって開放感を得られることから、既設の窓枠に取付けられていた面格子を取り去り、この取り去った面格子の代わりに巻き上げ巻き下ろし式のシャッターを既設の窓枠の前面に取付けることが近年増加してきている。
【０００３】
従来の既設の窓枠の前面に後付けする巻き上げ巻き下ろし式のシャッターを図８により説明する。符号Ａは、既存の住宅の外壁面１に取付けられている既設の窓枠で、符号１２は窓枠の上枠である。符号２は、巻き上げ巻き下ろし式のシャッターケースで、適宜の取付け手段により既存の住宅の外壁面１に取付けられている。断面形状が稍Ｃ字状のカバー体３のカバー体上面の外壁面寄り側端縁８は、垂直面６が外壁面１にネジ５によって取付けられたＬ型固着具４の水平面７に図示されていないネジによって固定され、カバー体３のカバー体下面前縁９は、シャッターケース２の下面に当接している。
【０００４】
また、図示されてはいないが、巻き上げ巻き下ろしされるシャッターが案内されるガイド溝を有するガイド枠体が、既設の窓枠Ａの両側にネジ等によって取付けられている。そして、外壁面１とカバー体３のカバー体上面の外壁面寄り端縁８との間には、雨水の浸入を防止するコーキング材１０が塗布されており、また、図示されてはいないが、カバー体３の両サイドカバーの外壁面寄り側端縁と外壁面１との間にも、雨水の浸入を防止するコーキング材が塗布されている。
【発明の開示】
【発明が解決しようとする課題】
【０００５】
しかしながら、戸建て住宅の既設の窓枠にシャッターを後付けで取付ける際、ガイド溝を有するガイド枠体をネジ止めしたネジの頭は、何のカバーもされることなく露呈したままである。このように後付けされたガイド溝を有するガイド枠体をネジ止めしたネジの頭が、外側から見えるのは意匠的に見栄えが良いものではない。このため、ガイド枠体をネジ止めしたネジの頭を隠すために化粧カバー体を被せて見栄えを良くする必要がある。
【０００６】
そこで、本発明は、上述した課題によりなされたもので、戸建て住宅の既設の窓枠にシャッターを後付けで取付ける際に、シャッター巻上げ部の収納部とシャッター収納部とを一体とした後付けシャッターの取付枠体を既設の窓枠の四周外側の外壁面に取付け、該枠体を外壁面に取付けた固着具の一種であるネジの頭を隠すため、固着具隠し化粧カバーを嵌め込み式によって前記枠体に取付けると共に、固着具隠し化粧カバーと前記枠体との間、及び、固着具隠し化粧カバーと外壁面との間にシーリングポケット部を形成し、このシーリングポケット部にコーキング材を充填し易くし、コーキング材充填による作業不良による雨水の浸入を確実に防止するようにした後付けシャッターの取付構造を提供することを目的とするものである。
【課題を解決するための手段】
【０００７】
上記の目的を達成するため、本発明の請求項１に記載の発明は、
既設の窓枠の四周外側の外壁面に対し、後付けシャッター取付枠体を固着具にて取付け、前記後付けシャッター取付枠体に対し、前記後付けシャッター取付枠体と別体の化粧カバー材受け体を取付け、前記化粧カバー材受け体に対し前記固着具を隠すように化粧カバー材を取付ける、後付けシャッターの取付構造であって、
前記化粧カバー材受け体は、断面Ｕ字であって、Ｕ字の端部外側には外側に向かう引っ掛かり部が形成され、
前記化粧カバー材は、断面Ｕ字状であって、Ｕ字の側面端は内方に曲折され、
前記化粧カバー材は、断面Ｕ字状であって、Ｕ字の側面端の内方には内側に向かう引っ掛かり部が形成され、
前記化粧カバー材受け体のＵ字の端部は、前記化粧カバー材の側面の内側に挿入され、
前記化粧カバー材受け体の前記引っ掛かり部には、前記化粧カバー材の引っ掛かり部が係止され、
前記化粧カバー材において内方に曲折されている側面端、及び前記化粧カバー部材の側端縁から離れた位置に前記後付シャッター取付枠体の面に向かって突出する突起条が形成されることで、前記側面端およびカバー材の側面と突起条にてそれぞれ窪み状のシーリングポケット部が形設され、
前記化粧カバー材の側面端で構成されるシーリングポケット部の継ぎ目のない一連の表面と、外壁面の間に、コーキング材が充填される構成とし、
前記化粧カバー材の側面端において前記シーリングポケット部を構成している部位において、前記化粧カバー材受け体の前記引っ掛かり部と、前記化粧カバー材の前記引っ掛かり部が配置され、前記化粧カバー材の内側において、前記両引っ掛かり部が係止する、
後付けシャッターの取付構造とする。
また、上記の目的を達成するため、本発明の請求項２に記載の発明は、
前記化粧カバー材受け体の前記引っ掛かり部と、前記化粧カバー材の引っ掛かり部は、弾性力で挟んで引掛り係止される、
ことを特徴とする請求項１に記載の後付けシャッターの取付構造とする。
また、上記の目的を達成するため、本発明の請求項３に記載の発明は、
既設の窓枠の四周外側の外壁面に対し、後付けシャッター取付枠体を固着具にて取付け、前記後付けシャッター取付枠体に対し、前記後付けシャッター取付枠体と別体の化粧カバー材受け体を取付け、前記化粧カバー材受け体に対し前記固着具を隠すように化粧カバー材を取付ける、後付けシャッターの取付構造であって、
前記化粧カバー材受け体は、断面Ｕ字であって、Ｕ字の端部は外側に曲折されて係止片が形成され、
前記化粧カバー材は、断面Ｕ字状であって、Ｕ字の側面端は内方に曲折されて係止片が形設され、
前記化粧カバー材受け体のＵ字の端部は、前記化粧カバー材の側面の内側に挿入され、
前記化粧カバー材受け体の前記係止片には、前記化粧カバー材の前記係止片の角部が係止され、
前記化粧カバー材において内方に曲折されている側面端、及び前記化粧カバー部材の側端縁から離れた位置に前記後付シャッター取付枠体の面に向かって突出する突起条が形成されることで、前記側面端およびカバー材の側面と突起条にてそれぞれ窪み状のシーリングポケット部が形設され、
前記化粧カバー材の側面端で構成されるシーリングポケット部の継ぎ目のない一連の表面と、外壁面の間に、コーキング材が充填される構成とし、
前記化粧カバー材の側面端において前記シーリングポケット部を構成している部位において、前記化粧カバー材受け体の前記係止片と、前記化粧カバー材の前記係止片が配置され、前記化粧カバー材の内側において、前記両係止片が係止する、
後付けシャッターの取付構造とする。
また、上記の目的を達成するため、本発明の請求項４に記載の発明は、
前記化粧カバー材受け体の前記係止片と、前記化粧カバー材の前記係止片は、弾性力で挟んで引掛り係止される、
ことを特徴とする請求項３に記載の後付けシャッターの取付構造とする。
【発明の効果】
【０００８】
以上説明したように、本発明の後付けシャッターの取付構造は、既設の窓枠の四周外側の外壁面に後付けシャッター取付枠体の外方に延出する取付片を取付け、該取付片と共に取付けられた化粧カバー材受け体に固着具隠し化粧カバーを弾性力で挟んで係止すると共に、固着具隠し化粧カバーと前記取付枠体との間、及び、固着具隠し化粧カバーと外壁面との間にシーリングポケット部を形成し、このシーリングポケット部にコーキング材を充填しているので、化粧カバー材によって、後付けシャッター取付枠体の取付片を取付けた固着具の頭を覆い隠すことができると云う効果を奏することができる。
【０００９】
また、このシーリングポケット部にコーキング材を打ち易くすると共に多くのコーキング材を溜めることができ、特に、内部に雨水が入り易い後付けシャッター取付枠体１５の上枠１６部分のコーキング材の充填による作業不良による雨水の浸入を確実に防止することができると云う効果を奏することができる。
【発明を実施するための最良の形態】
【００１０】
以下、本発明の後付けシャッターの取付構造の実施の形態を図１〜図７によって説明する。図１は、戸建て住宅の既設の窓の外観図であり、図２は、本発明の後付けシャッター取付枠体の斜視図、図３は、本発明の固着具隠し化粧カバーの斜視図、図４は、本発明の後付けシャッターの取付構造の横断面図、図５は、図４の部分拡大図、図６は、化粧カバー材受け体の他の実施の態様の概略図、図７は、本発明の後付けシャッターの取付構造の縦断面図である。
【００１１】
図１に図示されているように、戸建て住宅の既設の窓枠Ａは、住宅の開口部に取付けられた左右の縦枠１１、１１と上枠１２と下枠１３とで構成されており、外壁面１より若干突出している。そして、この様に構成された窓枠Ａ内に引き違い式の障子体１４、１４が開閉可能に設けられている。なお、引き違い式の開閉体に限定されることなくスイング式の開閉体であってもよい。
【００１２】
次に、図２に示す本発明の後付けシャッター取付枠体１５について説明すると、後付けシャッター取付枠体１５は、上下の上枠１６、下枠１７と左右の側枠１８、１８と、上下の上枠１６、下枠１７と左右の側枠１８、１８とで囲まれた後付けシャッター取付枠体１５の内部には、該内部をシャッター巻上げ部の収納部２０とシャッター収納部２１とに区分する仕切枠１９が取付けられている。また、上下の上枠１６、下枠１７と左右の側枠１８、１８との外壁面１側には、取付片２２、２２、２２、２２が外側に延出して形成されている。符号２３は、外壁面１に上枠１６、下枠１７、各左右の側枠１８、１８をネジで取付けるためのネジ孔である。
【００１３】
次に、図３に示す本発明の固着具隠し化粧カバー２４について説明すると、固着具隠し化粧カバー２４は、断面Ｕ字状の左右の側部化粧カバー材２７、２７と同じく断面Ｕ字状の上部化粧カバー材２５と下部化粧カバー材２６と、これらの端部同士を接続する接続部材２８とで構成されている。また、固着具隠し化粧カバー２４の各化粧カバー材２５、２６、２７、２７の内側となる外側面には突起条４２が形成されている。また、各化粧カバー材２５、２６、２７、２７の側面端は内方に曲折又は引っ掛かり部を形成している。
【００１４】
次に、図面の図４〜７によって本発明の後付けシャッターの取付構造について説明すると、予め、施工現場等で上枠１６と下枠１７と両側枠１８、１８とで組み立てられた後付けシャッター取付枠体１５は、既設の窓枠Ａの四周外側に沿って合わせると共に、各側枠から延出形成されている取付片２２のネジ孔２３を固着具の一種であるネジ３１で戸建て住宅の外壁面１に取付ける。このネジ止めする際に断面Ｕ字形の化粧カバー材受け体３０、３０、・・・のピースを各取付片２２の各ネジ孔２３毎にネジ止めする。この断面Ｕ字形の化粧カバー材受け体３０の端部外側には引っ掛かり部が形成されている。なお、ネジに換えて、ボルトや釘などによって取付けるようにしても良い。
【００１５】
そして、このように既設の窓枠の四周外側に沿って外壁面１に取付けられた後付けシャッター取付枠体１５のシャッター巻上げ部の収納部２０にシャッターとシャッター巻上げ駆動部を取付け収納すると共に、シャッター巻上げ部の収納部２０の前面は、図７に示すように化粧カバー板３３で閉塞される。
【００１６】
既設の窓枠の四周外側に沿って取付けられた後付けシャッター取付枠体１５の取付片２２に、４本の断面Ｕ字状の化粧カバー材２５、２６、２７、２７と４つの接続部材２８とで構成された固着具隠し化粧カバー２４の断面Ｕ字の開口側を後付けシャッター取付枠体１５の各取付片２２と共にネジ止めされた断面Ｕ字形の化粧カバー材受け体３０、３０、・・・に被せて嵌める。
【００１７】
このとき、断面Ｕ字形の化粧カバー材受け体３０の端部外側には引っ掛かり部が形成されており、また、固着具隠し化粧カバー２４の各化粧カバー材２５、２６、２７、２７の側面端は内方に曲折又は引っ掛かり部を形成しているので、化粧カバー材受け体３０の端部外側に形成されている引っ掛かり部に各化粧カバー材２５、２６、２７、２７の側面端に形成されている内方に曲折又は引っ掛かり部が、弾性力で挟んで引っ掛かり係止される。また、図６に示すように、前記引っ掛かり部を断面Ｕ字形の化粧カバー材受け体３０の側端部を外側に曲折して係止片４０を形成し、この係止片４０と側部化粧カバー材２７の側面端に形成された係合片４１とが弾性力で挟んで引っ掛かり係止されるようにしても良い。
【００１８】
そして、このように既設の窓枠の四周外側の外壁面に取付けされた後付けシャッター取付枠体１５の側枠１８と、後付けシャッター取付枠体１５の取付片２２と共にネジ止めされた化粧カバー材受け体３０に係止された化粧カバー材の内側となる外側面に形成された突起条４２との間に形成されるシーリングポケット部に沿ってコーキング材３４を充填する。また、外壁面１と前記化粧カバー材の外側面に形成されたシーリングポケット部に沿ってコーキング材３２を充填する。
【００１９】
特に、雨水が溜まり易く、その結果内部に雨水が入り易い後付けシャッター取付枠体１５の上枠１６部分の取付けについて説明すると、壁面を構成する断熱壁パネル４３の外壁面１の既設の窓枠の四周外側に沿って上枠１６と下枠１７と両側枠１８、１８とで構成された後付けシャッター取付枠体１５の各側枠から延出形成されている取付片２２のネジ孔２３をネジ３１で取付ける。
【００２０】
そして、断面Ｕ字形で端部外側には引っ掛かり部が形成された化粧カバー材受け体３０のピースが、このネジ止めの際に、各ネジ孔２３毎にネジ止めされ、この化粧カバー材受け体３０にネジ隠し化粧カバー２４の化粧カバー材２５の断面Ｕ字の開口側を被せて嵌め弾性力で挟んで引っ掛かけ係止する。このとき、化粧カバー材２５の上枠１６側の側面には、他の枠体と同様に突起条４２が形成されているので、上枠１６の外側面と突起条４２が形成され化粧カバー材２５の側面との間、及び、化粧カバー材２５の他側面と外壁面１との間にそれぞれ形成されたシーリングポケット部に沿ってコーキング材３４、３２を充填する。
【００２１】
このように化粧カバー材受け体に係止された化粧カバー材によって、後付けシャッター取付枠体の取付片をネジ止めしたネジの頭を覆い隠すことができると共に、該化粧カバー材の両外側と後付けシャッター取付枠体の上枠、下枠や側枠及び外壁面との間に少し大きめのコーキング材を溜めるためのシーリングポケット部を形成しているので、このポケット部にコーキング材を打ち易くすると共に多くのコーキング材を溜めることができ、コーキング材の充填による作業不良による雨水の浸入を確実に防止することができ、コーキング材に亀裂が発生しても内部に雨水などの水が入り込むのを防ぐことができる。
【図面の簡単な説明】
【００２２】
【図１】戸建て住宅の既設の窓の外観図。
【図２】本発明の後付けシャッター取付枠体の斜視図。
【図３】本発明の固着具隠し化粧カバーの斜視図。
【図４】本発明の後付けシャッターの取付構造の横断面図。
【図５】図４の部分拡大図。
【図６】化粧カバー材受け体の他の実施の態様の概略図。
【図７】本発明の後付けシャッターの取付構造の縦断面図。
【図８】従来の後付けシャッターの取付け例である。
【符号の説明】
【００２３】
Ａ    既設の窓枠
１    外壁面
２    シャッターケース
３    カバー体
４    Ｌ型固着具
５    ネジ
６    垂直面
７    水平面
８    カバー体上面の外壁面寄り端縁
９    カバー体下面前縁
１０  コーキング材
１１  縦枠
１２  上枠
１３  下枠
１４  障子体
１５  後付けシャッター取付枠体
１６  上枠
１７  下枠
１８  側枠
１９  仕切枠
２０  シャッター巻上げ部の収納部
２１  シャッター上下部
２２  取付片
２３  ネジ孔
２４  固着具隠し化粧カバー
２５  上部化粧カバー材
２６  下部化粧カバー材
２７  側部化粧カバー材
２８  接続部材
２９  開口部
３０  化粧カバー材受け体
３１  ネジ
３２  コーキング材
３３  化粧カバー板
３４  コーキング材
３５  サッシ枠
３６  ネジ
３７  開口部側枠
３８  柱体
３９  コーキング材
４０  係止片
４１  係合片
４２  突起条
４３  断熱壁パネル
４４  開口部上枠
４５  開口部下枠
４６  シャッター巻上げ部
４７  シャッター 
【図１】
0005152991.tif 000002
【図２】
0005152991.tif 000003
【図３】
0005152991.tif 000004
【図４】
0005152991.tif 000005
【図５】
0005152991.tif 000006
【図６】
0005152991.tif 000007
【図７】
0005152991.tif 000008
【図８】
0005152991.tif 000009